(57)【要約】【課題】受信設備等から漏洩した漏洩ＩＦ信号の電力を測定する際に、発振器の出力の漏洩による測定結果の劣化を抑制する。【解決手段】電力測定装置１は、受信設備１００から受信設備信号を入力し、漏洩電波を受信する。混合器１３は、増幅後の受信設備信号と発振器１２から出力された発振器信号とを混合し、受信設備信号の周波数を変換する。混合器１３’は、増幅後の漏洩ＩＦ信号と発振器１２’から出力された発振器信号とを混合し、漏洩ＩＦ信号の周波数を変換する。混合器２０は、受信設備信号の高周波成分と、漏洩ＩＦ信号の高周波成分の位相を変化させた信号とを混合し、ＬＰＦ２１は、混合信号に対し、所定の高周波成分を除去するためのフィルタ処理を行い、狭帯域信号を生成する。狭帯域信号の角周波数の絶対値｜ω’−ω”｜と、発振器１２，１２’の発振器信号の角周波数ω’，ω”とが一致しないようにする。【選択図】図２
2020101475.tif 000002
【特許請求の範囲】
【請求項１】
衛星放送の受信用の機器から、前記衛星放送の電波のＩＦ信号を受信信号として入力すると共に、前記機器から放射された漏洩電波を受信し、当該漏洩電波の信号の電力を漏洩ＩＦ信号の電力として測定する電力測定装置において、
第１発振器信号を出力する第１発振器と、
前記受信信号と、前記第１発振器から出力された前記第１発振器信号とを混合し、前記受信信号の周波数変換を行う第１混合器と、
前記第１混合器により周波数変換された前記受信信号に対し、所定の低周波成分を除去するためのフィルタ処理を行い、前記受信信号の高周波成分を出力する第１ＨＰＦ（ハイパスフィルタ）と、
第２発振器信号を出力する第２発振器と、
前記漏洩ＩＦ信号と、前記第２発振器から出力された前記第２発振器信号とを混合し、前記漏洩ＩＦ信号の周波数変換を行う第２混合器と、
前記第２混合器により周波数変換された前記漏洩ＩＦ信号に対し、所定の低周波成分を除去するためのフィルタ処理を行い、前記漏洩ＩＦ信号の高周波成分を出力する第２ＨＰＦと、
前記第１ＨＰＦから出力された前記受信信号の高周波成分と、前記第２ＨＰＦから出力された前記漏洩ＩＦ信号の高周波成分とを混合し、混合信号を出力する第３混合器と、
前記第３混合器から出力された前記混合信号に対し、所定の高周波成分を除去するためのフィルタ処理を行い、狭帯域信号を出力するＬＰＦ（ローパスフィルタ）と、
前記ＬＰＦから出力された前記狭帯域信号の電力を算出し、前記狭帯域信号の電力及び所定のパラメータに基づいて、前記受信信号と前記漏洩ＩＦ信号との間の電力比を測定する電力比測定部と、
前記第１ＨＰＦから出力された前記受信信号の高周波成分の電力及び前記電力比測定部により測定された前記電力比に基づいて、前記漏洩ＩＦ信号の電力を算出する電力算出部と、を備え、
前記第１発振器信号の角周波数をω’、前記第２発振器信号の角周波数をω”として、以下の数式
2020101475.tif 000017
を満たすことを特徴とする電力測定装置。
【請求項２】
請求項１に記載の電力測定装置において、
さらに、所定の位相情報を入力し、当該位相情報に基づいて、前記第２ＨＰＦから出力された前記漏洩ＩＦ信号の高周波成分の位相を変化させる移相器を備え、
前記第３混合器は、
前記第１ＨＰＦから出力された前記受信信号の高周波成分と、前記移相器により前記位相が変化した前記漏洩ＩＦ信号の高周波成分とを混合し、前記混合信号を出力し、
前記電力比測定部は、
前記漏洩ＩＦ信号の高周波成分の位相を変化させるための前記位相情報を、異なる位相に応じてそれぞれ生成し、前記位相情報を前記移相器に出力し、
前記位相情報毎に、前記ＬＰＦから出力された前記狭帯域信号を入力し、当該狭帯域信号の電力を算出し、前記位相情報毎の前記電力のうち最大値を特定し、前記狭帯域信号の前記電力の最大値及び所定のパラメータに基づいて、前記電力比を測定する、ことを特徴とする電力測定装置。
【発明の詳細な説明】
【技術分野】
【０００１】
本発明は、衛星放送用の受信設備等から漏洩する電力を測定する電力測定装置に関する。
【背景技術】
【０００２】
従来、４Ｋ／８Ｋスーパーハイビジョンの衛星放送の開始に伴い、右旋円偏波の帯域に加え、新たに左旋円偏波の帯域が追加された。衛星放送には１２ＧＨｚ帯の電波が割り当てられており、パラボラアンテナで受信された電波は、ＩＦ（Intermediate Frequency：中間周波数）信号に変換される。従来の右旋円偏波の帯域は１．０〜２．１ＧＨｚのＩＦ信号に周波数変換され、新たに追加された左旋円偏波の帯域は２．２〜３．３ＧＨｚのＩＦ信号に周波数変換され、受信機へと入力される。
【０００３】
周波数変換された左旋円偏波における２．２〜３．３ＧＨｚのＩＦ信号の帯域は、以前より移動体通信事業者等に割り当てられていることから、受信設備の不備によりＩＦ信号が漏洩することで、これらのサービスに妨害を与えることが懸念される。このため、ＩＦ信号の漏洩について基準が設けられている（例えば、非特許文献１を参照）。
【０００４】
受信設備から漏洩したＩＦ信号は微弱であり、衛星放送の変調波は広帯域である。従来の測定器を用いて広帯域の信号の電力を測定すると、内部雑音等の影響を受けることから、微弱な信号の測定性能には限界がある。このため、従来の測定器を用いた場合には、受信設備がＩＦ信号の漏洩基準を満たしているか否かを簡易に判断することは困難である。
【０００５】
そこで、衛星放送の受信設備から取得した基準となるＩＦ信号と、受信設備から漏洩した漏洩電波をアンテナで受信した漏洩ＩＦ信号とを混合し、広帯域の信号を狭帯域の信号に変換する手法が提案されている（例えば、非特許文献２を参照）。これにより、従来の測定器を用いて、受信設備がＩＦ信号の漏洩基準を満たしているか否かを簡易に判断することができる。
【０００６】
尚、非特許文献２と同一の手法及び類似の手法が、本件特許出願の同一の出願人によりなされた、本件特許出願時に未公開である特願２０１７−１６２９０２号公報に記載されている。
【先行技術文献】
【非特許文献】
【０００７】
【非特許文献１】“中間周波数の漏洩  −新４Ｋ８Ｋ衛星放送開始に向けたＢＳ・１１０度ＣＳの左旋偏波の中間周波数の漏洩について−”、［online］、総務省、［平成３０年１０月２４日検索］、インターネット＜ＵＲＬ：http://www.soumu.go.jp/menu_seisaku/ictseisaku/housou_suishin/4k8k_suishin/radio-frequency-interference.html＞
【非特許文献２】岩崎充志、長坂正史、田中祥次、“衛星放送受信設備における漏洩電力簡易測定器の試作と性能評価”、２２Ｄ−４、２０１８年映像情報メディア学会年次大会（ITE Annual Convention 2018）、２０１８年８月
【発明の概要】
【発明が解決しようとする課題】
【０００８】
図３は、従来の電力測定装置の構成例を示すブロック図であり、非特許文献２に記載された手法を説明する図である。この電力測定装置１１０は、発振器１２、混合器１３，２０、ＬＰＦ（ローパスフィルタ）２１及びＨＰＦ（ハイパスフィルタ）１４等を備えている。図３には、本発明に関連する構成部のみが示されている。
【０００９】
電力測定装置１１０は、衛星放送の受信設備から入力した受信設備信号（基準ＩＦ信号）と、受信設備から漏洩した漏洩電波をアンテナで受信した漏洩ＩＦ信号とを混合（乗算）し、広帯域信号を狭帯域信号に変換することで、漏洩ＩＦ信号の電力を測定する。ここで、受信設備信号及び漏洩ＩＦ信号は広帯域信号であり、混合後の信号は狭帯域信号である。
【００１０】
電力測定装置１１０は、衛星放送の受信設備から受信設備信号を入力すると共に、受信設備から漏洩した漏洩電波を、図示しないアンテナを介して受信し、漏洩ＩＦ信号として入力する。
【００１１】
混合器１３は、受信設備信号と発振器１２から出力された発信器信号とを混合することで、受信設備信号の周波数を変換する。ＨＰＦ１４は、混合器１３により周波数が変換された受信設備信号に対し、所定の低周波成分を除去するためのフィルタ処理を行い、受信設備信号の高周波成分を出力する。
【００１２】
電力測定装置１１０が入力する受信設備信号、発振器１２から出力される発振器信号、及び混合器１３の出力信号は、以下の式で表される。
【数１】
2020101475.tif 000003
【数２】
2020101475.tif 000004
【数３】
2020101475.tif 000005
【００１３】
ここで、Ａ及びφは、それぞれ衛星放送の変調波の振幅成分及び位相成分を示す。尚、受信設備信号と漏洩ＩＦ信号との間の時間差は、変調波のシンボルレートより十分に小さいものとする。Ｇ1は、混合器１３の前段に設けられた図示しないＡＭＰ（増幅器）の利得、ωは受信設備信号の搬送波の角周波数を示す。ｔは時刻、Ｒ’は受信設備信号と発振器信号との間の振幅比、ω’は発振器信号の角周波数を示す。
【００１４】
前記式（３）に示した混合器１３の出力信号は、ＨＰＦ１４を通過することにより、低域成分が除去される。ＨＰＦ１４の出力信号は、以下の式で表され、混合器２０に入力される。
【数４】
2020101475.tif 000006
【００１５】
また、混合器２０に入力される漏洩ＩＦ信号側の信号は、混合器２０の前段（漏洩ＩＦ信号側）に設けられた図示しない移相器の出力信号であり、以下の式で表される。
【数５】
2020101475.tif 000007
【００１６】
ここで、Ｇ2は、図示しない移相器の前段に設けられた図示しないＡＭＰの利得を示し、Ｒは、受信設備信号と漏洩ＩＦ信号との間の振幅比を示す。尚、図示しない移相器は、受信設備信号と漏洩ＩＦ信号との時間差を補償するために使用されるが、ここでは調整済みであるものとする。
【００１７】
混合器２０の出力信号は狭帯域信号であり、以下の式で表される。
【数６】
2020101475.tif 000008
【００１８】
前記式（６）に示した混合器２０の出力信号は、ＬＰＦ２１を通過することにより、高域成分が除去される。ＬＰＦ２１の出力信号は狭帯域信号であり、以下の式で表される。
【数７】
2020101475.tif 000009
【００１９】
電力測定装置１１０は、前記式（７）に示したＬＰＦ２１の出力信号である狭帯域信号の電力を測定し、この電力を漏洩ＩＦ信号の電力に換算する。
【００２０】
ここで、図３に示した従来の電力測定装置１１０において、発振器１２及び混合器１３は、受信設備信号の周波数を変換し、最終的に、狭帯域信号の周波数を規定している。
【００２１】
しかしながら、前記式（２）に示した発振器信号の角周波数ω’と、前記式（７）に示した測定対象であるＬＰＦ２１の出力信号の角周波数ω’とが一致している。
【００２２】
このため、混合器１３の特性及び機器内部のシールド性能によっては、発振器１２の出力信号である発振器信号が、ＬＰＦ２１の出力信号である狭帯域信号に漏洩してしまう。発振器信号が狭帯域信号に漏洩すると、狭帯域信号の電力の測定精度が低下し、結果として、漏洩ＩＦ信号の電力の測定精度が低下する。
【００２３】
つまり、従来の電力測定装置１１０では、発振器信号が狭帯域信号に漏洩し、漏洩ＩＦ信号の電力の測定結果が劣化するという問題があった。
【００２４】
そこで、本発明は前記課題を解決するためになされたものであり、その目的は、受信設備等から漏洩した漏洩ＩＦ信号の電力を測定する際に、発振器の出力の漏洩による測定結果の劣化を抑制可能な電力測定装置を提供することにある。
【課題を解決するための手段】
【００２５】
前記課題を解決するために、請求項１の電力測定装置は、衛星放送の受信用の機器から、前記衛星放送の電波のＩＦ信号を受信信号として入力すると共に、前記機器から放射された漏洩電波を受信し、当該漏洩電波の信号の電力を漏洩ＩＦ信号の電力として測定する電力測定装置において、第１発振器信号を出力する第１発振器と、前記受信信号と、前記第１発振器から出力された前記第１発振器信号とを混合し、前記受信信号の周波数変換を行う第１混合器と、前記第１混合器により周波数変換された前記受信信号に対し、所定の低周波成分を除去するためのフィルタ処理を行い、前記受信信号の高周波成分を出力する第１ＨＰＦ（ハイパスフィルタ）と、第２発振器信号を出力する第２発振器と、前記漏洩ＩＦ信号と、前記第２発振器から出力された前記第２発振器信号とを混合し、前記漏洩ＩＦ信号の周波数変換を行う第２混合器と、前記第２混合器により周波数変換された前記漏洩ＩＦ信号に対し、所定の低周波成分を除去するためのフィルタ処理を行い、前記漏洩ＩＦ信号の高周波成分を出力する第２ＨＰＦと、前記第１ＨＰＦから出力された前記受信信号の高周波成分と、前記第２ＨＰＦから出力された前記漏洩ＩＦ信号の高周波成分とを混合し、混合信号を出力する第３混合器と、前記第３混合器から出力された前記混合信号に対し、所定の高周波成分を除去するためのフィルタ処理を行い、狭帯域信号を出力するＬＰＦ（ローパスフィルタ）と、前記ＬＰＦから出力された前記狭帯域信号の電力を算出し、前記狭帯域信号の電力及び所定のパラメータに基づいて、前記受信信号と前記漏洩ＩＦ信号との間の電力比を測定する電力比測定部と、前記第１ＨＰＦから出力された前記受信信号の高周波成分の電力及び前記電力比測定部により測定された前記電力比に基づいて、前記漏洩ＩＦ信号の電力を算出する電力算出部と、を備え、前記第１発振器信号の角周波数をω’、前記第２発振器信号の角周波数をω”として、以下の数式
2020101475.tif 000010
を満たすことを特徴とする。
【００２６】
また、請求項２の電力測定装置は、請求項１に記載の電力測定装置において、さらに、所定の位相情報を入力し、当該位相情報に基づいて、前記第２ＨＰＦから出力された前記漏洩ＩＦ信号の高周波成分の位相を変化させる移相器を備え、前記第３混合器が、前記第１ＨＰＦから出力された前記受信信号の高周波成分と、前記移相器により前記位相が変化した前記漏洩ＩＦ信号の高周波成分とを混合し、前記混合信号を出力し、前記電力比測定部が、前記漏洩ＩＦ信号の高周波成分の位相を変化させるための前記位相情報を、異なる位相に応じてそれぞれ生成し、前記位相情報を前記移相器に出力し、前記位相情報毎に、前記ＬＰＦから出力された前記狭帯域信号を入力し、当該狭帯域信号の電力を算出し、前記位相情報毎の前記電力のうち最大値を特定し、前記狭帯域信号の前記電力の最大値及び所定のパラメータに基づいて、前記電力比を測定する、ことを特徴とする。
【発明の効果】
【００２７】
以上のように、本発明によれば、受信設備等から漏洩した漏洩ＩＦ信号の電力を測定する際に、発振器の出力の漏洩による測定結果の劣化を抑制することが可能となる。また、発振器の出力の漏洩を防ぐためのシールド性能の要求条件を緩和することができるため、構成部品の選定が容易になり、電力測定装置の軽量化を実現することができる。
【図面の簡単な説明】
【００２８】
【図１】本発明の実施形態による電力測定装置を用いて、漏洩電波の電力を測定する様子を表したイメージ図である。
【図２】本発明の実施形態による電力測定装置の構成例を示すブロック図である。
【図３】従来の電力測定装置の構成例を示すブロック図である。
【発明を実施するための形態】
【００２９】
以下、本発明を実施するための形態について図面を用いて詳細に説明する。本発明は、衛星放送の電波が変換された受信信号である基準ＩＦ信号と、漏洩電波の漏洩ＩＦ信号とを混合して狭帯域信号を生成する際に、受信信号及び漏洩ＩＦ信号のそれぞれを周波数変換することで、狭帯域信号の周波数と発振器信号の周波数とが一致しないようにすることを特徴とする。
【００３０】
〔漏洩電波の電力を測定するイメージ図〕
図１は、本発明の実施形態による電力測定装置を用いて、漏洩電波の電力を測定する様子を表したイメージ図である。ユーザは、本発明の実施形態による電力測定装置１を、同軸ケーブル１０１を介して受信設備１００に接続する。
【００３１】
受信設備１００は、例えばＢＳ／ＣＳ波の映像放送を受信するために使用されるブースター、分配器等の機器であり、受信したＢＳ／ＣＳ波が変換されたＢＳ／ＣＳ−ＩＦ信号を入力する。そして、受信設備１００は、ＢＳ／ＣＳ−ＩＦ信号に対して増幅及び分配等の処理を行い、ＢＳ／ＣＳ−ＩＦ信号に基づいて生成した出力信号を受信設備信号として、後段の装置へ出力する。このとき、受信設備信号は、同軸ケーブル１０１を介して電力測定装置１へ出力される。
【００３２】
ここで、受信設備１００の内部のシールドが不十分である場合、または、同軸ケーブル１０１がコネクタではなく手ひねりで接続されている場合には、受信設備１００において、ＢＳ／ＣＳ−ＩＦ信号の入力に伴い、漏洩電波が発生することがあり得る。つまり、受信設備１００から漏洩電波が放射される。この漏洩電波によって、同じ周波数に割り当てられている移動体通信事業者のサービスを妨害してしまう可能性がある。
【００３３】
電力測定装置１は、この漏洩電波が所定の基準を満たしているか否かを確認するために用いる装置である。
【００３４】
電力測定装置１は、受信設備１００から同軸ケーブル１０１を介して、受信設備信号である基準ＩＦ信号を入力すると共に、受信設備１００から放射された漏洩電波を、アンテナ２を介して受信し、漏洩ＩＦ信号として入力する。そして、電力測定装置１は、受信設備信号及び漏洩ＩＦ信号に基づいて狭帯域信号を生成し、狭帯域信号に基づいて、漏洩ＩＦ信号の電力を測定する。
【００３５】
〔電力測定装置１〕
次に、図１に示した本発明の実施形態による電力測定装置１について詳細に説明する。図２は、本発明の実施形態による電力測定装置１の構成例を示すブロック図である。この電力測定装置１は、ＢＰＦ（バンドパスフィルタ）１０，１６、ＡＭＰ（増幅器）１１，１７、発振器１２，１２’、混合器１３，１３’，２０、ＨＰＦ（ハイパスフィルタ）１４，１４’、受信アンテナ部１５、移相器１８、電力測定部１９、ＬＰＦ（ローパスフィルタ）２１、電力比測定部２２及びアンテナ受信電力算出部２３（電力算出部）を備えている。
【００３６】
電力測定装置１は、周波数変換された受信設備信号である基準ＩＦ信号と、周波数変換された漏洩ＩＦ信号とを混合して狭帯域信号を生成し、狭帯域信号の電力比を測定し、受信設備信号の電力及び電力比から漏洩ＩＦ信号の電力を測定する。
【００３７】
ＢＰＦ１０は、受信設備１００から同軸ケーブル１０１を介して、受信設備信号を入力し、受信設備信号に対し、所定の測定周波数を選択するためのフィルタ処理を行い、フィルタ処理後の受信設備信号をＡＭＰ１１に出力する。これにより、受信設備信号から、測定周波数の信号が選択される。
【００３８】
ＡＭＰ１１は、ＢＰＦ１０からフィルタ処理後の受信設備信号を入力し、フィルタ処理後の受信設備信号を増幅し、増幅後の受信設備信号を混合器１３に出力する。
【００３９】
発振器１２は、増幅後の受信設備信号の周波数を変換するための所定の発振器信号を、混合器１３に出力する。
【００４０】
混合器１３は、ＡＭＰ１１から増幅後の受信設備信号を入力すると共に、発振器１２から発振器信号を入力し、増幅後の受信設備信号と発振器信号とを混合し、増幅後の受信設備信号の周波数を変換する。そして、混合器１３は、周波数変換後の受信設備信号をＨＰＦ１４に出力する。
【００４１】
ＨＰＦ１４は、混合器１３から周波数変換後の受信設備信号を入力し、周波数変換後の受信設備信号に対し、所定の低周波成分を除去するためのフィルタ処理を行い、受信設備信号の高周波成分を電力測定部１９及び混合器２０に出力する。
【００４２】
受信アンテナ部１５は、図１に示したアンテナ２に相当し、受信設備１００から放射された漏洩電波を受信し、漏洩電波に対して受信処理を行い、漏洩ＩＦ信号をＢＰＦ１６に出力する。
【００４３】
ＢＰＦ１６は、受信アンテナ部１５から漏洩ＩＦ信号を入力し、漏洩ＩＦ信号に対し、所定の測定周波数を選択するためのフィルタ処理を行い、フィルタ処理後の漏洩ＩＦ信号をＡＭＰ１７に出力する。これにより、漏洩ＩＦ信号から、測定周波数の信号が選択される。
【００４４】
ＡＭＰ１７は、ＢＰＦ１６からフィルタ処理後の漏洩ＩＦ信号を入力し、フィルタ処理後の漏洩電ＩＦ信号を増幅し、増幅後の漏洩ＩＦ信号を混合器１３’に出力する。
【００４５】
発振器１２’、混合器１３’及びＨＰＦ１４’は、漏洩ＩＦ信号の周波数を変換するために設けられる。これにより、ＬＰＦ２１が出力する狭帯域信号の周波数と、発振器１２，１２’から出力される発振器信号の周波数とが不一致となり、発振器１２，１２’の出力の漏洩による測定結果の劣化を抑制することができる。
【００４６】
発振器１２’は、増幅後の漏洩ＩＦ信号の周波数を変換するための所定の発振器信号を、混合器１３’に出力する。
【００４７】
混合器１３’は、ＡＭＰ１７から増幅後の漏洩ＩＦ信号を入力すると共に、発振器１２’から発振器信号を入力し、増幅後の漏洩ＩＦ信号と発振器信号とを混合し、増幅後の漏洩ＩＦ信号の周波数を変換する。そして、混合器１３’は、周波数変換後の漏洩ＩＦ信号をＨＰＦ１４’に出力する。
【００４８】
ＨＰＦ１４’は、混合器１３’から周波数変換後の漏洩ＩＦ信号を入力し、周波数変換後の漏洩ＩＦ信号に対し、所定の低周波成分を除去するためのフィルタ処理を行い、漏洩ＩＦ信号の高周波成分を移相器１８に出力する。
【００４９】
移相器１８は、ＨＰＦ１４’から漏洩ＩＦ信号の高周波成分を入力すると共に、電力比測定部２２から位相情報を入力する。そして、移相器１８は、位相情報に基づいて、漏洩ＩＦ信号の高周波成分の位相を変化させ、位相変化後の漏洩ＩＦ信号の高周波成分を混合器２０に出力する。
【００５０】
電力測定部１９は、ＨＰＦ１４から受信設備信号の高周波成分を入力し、受信設備信号の高周波成分の電力を測定する。そして、電力測定部１９は、受信設備信号の高周波成分の電力をアンテナ受信電力算出部２３に出力する。
【００５１】
混合器２０は、ＨＰＦ１４から受信設備信号の高周波成分を入力すると共に、移相器１８から位相変化後の漏洩ＩＦ信号の高周波成分を入力し、受信設備信号の高周波成分と位相変化後の漏洩ＩＦ信号の高周波成分とを混合し、混合信号をＬＰＦ２１に出力する。
【００５２】
ＬＰＦ２１は、混合器２０から混合信号を入力し、混合信号に対し、所定の高周波成分を除去するためのフィルタ処理を行い、混合信号の低周波成分を電力比測定部２２に出力する。この混合信号の低周波成分が狭帯域信号である。
【００５３】
電力比測定部２２は、ＬＰＦ２１から混合信号の低周波成分を入力し、混合信号の低周波成分の電力を測定する。そして、電力比測定部２２は、測定した混合信号の低周波成分の電力を、既に出力済みの位相情報に対応する電力として保持する。
【００５４】
電力比測定部２２は、混合信号の低周波成分の位相を変化させ、当該位相の変化に関する位相情報を移相器１８に出力し、ＬＰＦ２１から、当該位相情報に対応する混合信号の低周波成分を入力する。そして、電力比測定部２２は、混合信号の低周波成分の電力を測定し、測定した混合信号の低周波成分の電力を、既に出力済みの位相情報に対応する電力として保持する。電力比測定部２２は、このような処理を異なる位相毎に行い、混合信号の低周波成分における電力の最大値を特定する。
【００５５】
尚、受信設備信号及び漏洩電波が当該電力測定装置１に入力するまでの時間差が、信号の１シンボル継続時間（１／シンボルレート）よりも十分に小さくない場合に、前述のとおり、位相を変化させて電力の最大値を特定する処理を行う。一方、時間差が十分に小さい場合には、前述の処理は不要である。
【００５６】
電力比測定部２２は、混合信号の低周波成分における電力の最大値及び予め設定されたパラメータに基づいて、ＡＭＰ１１による増幅処理の前の受信設備信号とＡＭＰ１７による増幅処理の前の漏洩ＩＦ信号との間の電力比Ｒを測定する。そして、電力比測定部２２は、電力比Ｒをアンテナ受信電力算出部２３に出力する。
【００５７】
ここで、後述する式（１２）のとおり、ＬＰＦ２１の出力信号である混合信号の低周波成分の電力の最大値は、（A4G1G2RR’R”/4）である。したがって、混合信号の低周波成分の電力の最大値（A4G1G2RR’R”/4）、及び予め設定されたパラメータ（A4G1G2R’R”/4）に基づいて、電力比Ｒが測定される。後述するように、Ａ，Ｇ1，Ｇ2，Ｒ’，Ｒ”は既知であるため、パラメータ（A4G1G2R’R”/4）を予め設定することができる。
【００５８】
〔角周波数の不一致の条件〕
次に、図２に示した電力測定装置１において、狭帯域信号の角周波数と、発振器１２，１２’から出力される発振器信号の角周波数とが一致しないための条件について説明する。両角周波数が一致していないことで、発振器１２，１２’の出力の漏洩による測定結果の劣化を抑制することができる。
【００５９】
発振器１２’から出力される発振器信号、及び混合器１３’の出力信号（周波数変換後の漏洩ＩＦ信号）は、以下の式で表される。
【数８】
2020101475.tif 000011
【数９】
2020101475.tif 000012
【００６０】
ここで、Ａ及びφは、それぞれ衛星放送の変調波の振幅成分及び位相成分を示す。尚、受信設備信号と漏洩ＩＦ信号との間の時間差は、変調波のシンボルレートより十分に小さいものとする。Ｇ2は、混合器１３’の前段に設けられたＡＭＰ１７の利得、Ｒは、受信設備信号と漏洩ＩＦ信号との間の振幅比、ωは、漏洩ＩＦ信号の搬送波の角周波数を示す。ｔは時刻、Ｒ”は漏洩ＩＦ信号と発振器信号との間の振幅比、ω”は発振器信号の角周波数を示す。
【００６１】
前記式（９）に示した混合器１３’の出力信号は、ＨＰＦ１４’を通過することにより、低域成分が除去される。ＨＰＦ１４’の出力信号は、以下の式で表され、移相器１８を介して混合器２０に入力される。
【数１０】
2020101475.tif 000013
【００６２】
混合器２０の出力信号である混合信号は狭帯域信号であり、前記式（４）と前記式（１０）とを乗算することで得られ、以下の式で表される。
【数１１】
2020101475.tif 000014
【００６３】
前記式（１１）に示した混合器２０の出力信号は、ＬＰＦ２１を通過することにより、高域成分が除去される。ＬＰＦ２１の出力信号は狭帯域信号であり、以下の式で表される。
【数１２】
2020101475.tif 000015
【００６４】
前述のとおり、漏洩ＩＦ信号の電力の測定結果の劣化を抑制するためには、電力測定装置１において、狭帯域信号の角周波数と、発振器１２，１２’から出力される発振器信号の角周波数とが一致しないことが必要である。すなわち、前記式（１２）に示した狭帯域信号の角周波数の絶対値|ω’−ω”|と、前記式（２）（８）に示した発振器信号の角周波数ω’，ω”とが一致しないことが必要である。
【００６５】
この条件は、以下の式で表される。
【数１３】
2020101475.tif 000016
【００６６】
このように、前記式（１３）に示した条件を満たす角周波数ω’，ω”の発振器信号を出力する発振器１２，１２’を用いることにより、発振器１２，１２’の出力の漏洩による測定結果の劣化を抑制することができ、精度の高い測定が可能となる。
【００６７】
以上のように、本発明の実施形態の電力測定装置１によれば、混合器１３は、増幅後の受信設備信号と発振器１２から出力された発振器信号とを混合し、増幅後の受信設備信号の周波数を変換する。ＨＰＦ１４は、周波数変換後の受信設備信号に対し、所定の低周波成分を除去するためのフィルタ処理を行い、受信設備信号の高周波成分を生成する。
【００６８】
また、混合器１３’は、増幅後の漏洩ＩＦ信号と発振器１２’から出力された発振器信号とを混合し、増幅後の漏洩ＩＦ信号の周波数を変換する。ＨＰＦ１４’は、周波数変換後の漏洩ＩＦ信号に対し、所定の低周波成分を除去するためのフィルタ処理を行い、漏洩ＩＦ信号の高周波成分を生成する。
【００６９】
混合器２０は、受信設備信号の高周波成分と、漏洩ＩＦ信号の高周波成分の位相を変化させた信号とを混合する。ＬＰＦ２１は、混合信号に対し、所定の高周波成分を除去するためのフィルタ処理を行い、混合信号の低周波成分である狭帯域信号を生成する。
【００７０】
電力比測定部２２は、狭帯域信号の電力及び予め設定されたパラメータに基づいて、受信設備信号と漏洩ＩＦ信号との間の電力比Ｒを測定する。アンテナ受信電力算出部２３は、電力比Ｒ及び受信設備信号の高周波成分の電力に基づいて、漏洩ＩＦ信号の電力を算出する。
【００７１】
この場合、狭帯域信号の角周波数の絶対値|ω’−ω”|と、発振器１２の発振器信号の角周波数ω’とが一致せず、かつ、狭帯域信号の角周波数の絶対値|ω’−ω”|と、発振器１２’の発振器信号の角周波数ω”とが一致しない条件を満たす発振器１２，１２’を用いる。すなわち前記式（１３）の条件を満たす、角周波数ω’，ω”の発振器信号を出力する発振器１２，１２’を用いる。
【００７２】
これにより、発振器１２，１２’の出力の漏洩により、受信設備から漏洩した漏洩ＩＦ信号の電力の測定結果が劣化するのを抑制することができ、精度の高い測定が可能となる。また、発振器１２，１２’の出力の漏洩を防ぐためのシールド性能の要求条件を緩和することができるため、構成部品の選定が容易になり、電力測定装置１の軽量化を実現することができる。
【００７３】
以上、実施形態を挙げて本発明を説明したが、本発明は前記実施形態に限定されるものではなく、その技術思想を逸脱しない範囲で種々変形可能である。例えば前記実施形態において、受信設備１００は、ＢＳ／ＣＳ波の衛星放送を受信する衛星放送用の機器であってもよいし、ＢＳ／ＣＳ波以外の電波を受信する機器であってもよい。
【００７４】
また、前記実施形態では、受信設備１００から放射される漏洩電波の電力を測定するようにしたが、受信設備１００以外の設備（受信機器等の様々な機器を含む）から放射される漏洩電波の電力を測定するようにしてもよい。
【００７５】
また、前記実施形態では、電力測定装置１は、移相器１８を備えるようにした。これに対し、受信設備信号及び漏洩電波が当該電力測定装置１に入力するまでの時間差が、信号の１シンボル継続時間（１／シンボルレート）よりも十分に小さい場合には、電力測定装置１は、移相器１８を備えていなくてもよい。
【００７６】
この場合、ＨＰＦ１４’は、漏洩ＩＦ信号の高周波成分を混合器２０に出力する。また、電力比測定部２２は、位相を変化させて電力の最大値を特定する処理を行う必要がない。
【産業上の利用可能性】
【００７７】
本発明による電力測定装置は、衛星放送の受信設備等におけるＩＦ信号の漏洩の測定において有用である。
【符号の説明】
【００７８】
１，１１０  電力測定装置
２  アンテナ
１０，１６  ＢＰＦ（バンドパスフィルタ）
１１，１７  ＡＭＰ（増幅器）
１２，１２’  発振器
１３，１３’，２０  混合器
１４，１４’  ＨＰＦ（ハイパスフィルタ）
１５  受信アンテナ部
１８  移相器
１９  電力測定部
２１  ＬＰＦ（ローパスフィルタ）
２２  電力比測定部
２３  アンテナ受信電力算出部（電力算出部）
１００  受信設備
１０１  同軸ケーブル
【図１】
2020101475.tif 000018
【図２】
2020101475.tif 000019
【図３】
2020101475.tif 000020